(57)【特許請求の範囲】
【請求項１】
消防ホースと継手金具とが接続する連結部外周を覆う保護具であって、該保護具を構成する環状本体の少なくとも外周を、透明樹脂中に０．０１〜５．０mm2 の大きさの小反射平面を有する多数の金属箔小片がランダムに分散する樹脂層で形成した消防ホース用継手保護具。
【請求項２】
前記環状本体の全体を、前記金属箔小片がランダムに分散する透明樹脂から一体成形した請求項１に記載の消防ホース用継手保護具。
【請求項３】
前記環状本体を、前記金属箔小片がランダムに分散する透明樹脂と該金属箔小片が配合されていない樹脂とから成形し、前記金属箔小片が分散する樹脂を前記環状本体の少なくとも外層に配置した請求項１に記載の消防ホース用継手保護具。
【請求項４】
前記金属箔小片の前記透明性樹脂に対する配合量が０．５〜１０重量％である請求項１乃至３のいずれか１項に記載の消防ホース用継手保護具。
【請求項５】
前記透明樹脂が軟質性樹脂である請求項１乃至４のいずれか１項に記載の消防ホース用継手保護具。
【請求項６】
前記環状本体を、薄肉の被覆部に厚肉の緩衝部を形成して構成した請求項１〜５のいずれか１項に記載の消防ホース用継手保護具。
【請求項７】
消防ホースと継手金具とが接続する連結部外周を覆う保護具であって、該保護具を構成する環状本体の外周に、０．０１〜５．０mm2 の大きさの小反射平面を有する多数の金属箔小片がランダムに分散する透明樹脂で形成したリングを装着した消防ホース用継手保護具。
【発明の詳細な説明】
【０００１】
【産業上の利用分野】
本発明は、消防ホースと継手金具とが接続する連結部を保護するための消防ホース用継手保護具に関する。
【０００２】
【従来の技術】
一般に、消防ホースは可撓性のチューブ状布帛によって本体が構成されているが、これを遠隔の火災現場まで延長するときは、複数本を継手金具で接続して使用する。このように複数本の消防ホースを接続した場合、硬い継手金具で接続した部分を消防車のような重車両が踏みつけると、可撓性の消防ホース側の破損が早期に発生するようになる。
【０００３】
そのため、消防車等は消防ホースの継手連結部を踏みつけないように注意して走行するのが一般的である。しかし、注意走行は昼間は可能であっても、夜間走行する場合には、消防ホースの継手連結部を確認することが難しくなるので、上述したような早期破損を招きやすくなってしまう問題がある。
【０００４】
【発明が解決しようとする課題】
本発明の目的は、夜間走行においても連結部の保護を可能にし、しかも耐久性の高い消防ホース用継手保護具を提供することにある。
【０００５】
【課題を解決するための手段】
上記目的を達成する本発明は、消防ホースと継手金具とが接続する連結部外周を覆う保護具であって、該保護具を構成する環状本体の少なくとも外周を、透明樹脂中に０．０１〜５．０mm2 の大きさの小反射平面を有する多数の金属箔小片がランダムに分散する樹脂層で形成しことを特徴とするものである。
また、他の本発明は、上記保護具を構成する環状本体の外周に、０．０１〜５．０mm2 の大きさの小反射平面を有する多数の金属箔小片がランダムに分散する透明樹脂で形成したリングを装着したことを特徴とするものである。
【０００６】
このように保護具の本体自体又は該本体外周に装着したリングに使用した金属箔小片をランダムに分散した樹脂は、その金属箔小片が小反射平面を形成しているので、外部からの入射光を強い反射光として反射する機能を有している。しかも、ランダムに分散しているため、ランダムな方向から入射する光を反射することができ、またランダムな方向に放射することができる。
【０００７】
したがって、夜間時に消防車等のライトがどのような方向から照射されても、強い反射光を反射して、消防ホース継手連結部の存在を容易に確認させることができ、その結果として、消防ホース継手連結部の踏みつけによる損傷を防止することができる。
また、金属箔小片は樹脂中に分散しているので、消防ホース継手連結部が地面に擦れ合ったとしても簡単に脱落することがなく、高い耐久性を示すことができる。
【０００８】
【実施例】
図１は、本発明の実施例からなる消防ホース用継手保護具を、消防ホースと継手金具との連結部に嵌合した場合を示し、図２はその保護具を示している。
図１において、１０はチューブ状の布帛から形成された消防ホース、１１は継手金具である。消防ホース１０は、端部が継手金具１１の鋸刃状嵌合部１１ａに被せるられるように挿入され、その外側を銅線等のワイヤ１２で巻き付けられて連結固定されている。
【０００９】
本発明の保護具１は、この消防ホース１０と継手金具１１との連結部を被覆するように嵌合している。この保護具１は、金属箔小片がランダムに分散した樹脂Ｒｍからインジェクションにより環状に一体成形されている。その環状本体は、図２のように、薄肉の筒部１ａに厚肉の緩衝部１ｂを設けるように形成されている。
【００１０】
この保護具１の外周には、必要により金属箔を蒸着或いは転写などした反射性テープ２が貼り付けてもよい。この種の反射性テープとしては、多様な反射面を有するホログラフィーテープを使用するとよい。
樹脂Ｒｍ中にランダムに分散した金属箔小片は、金属箔を  ０．０１〜５．０mm2 、好ましくは０．１〜０．５mm2 の大きさの小片にしたものであって、樹脂内において多数の小反射平面を形成する。したがって、樹脂Ｒｍ中に外部から光が入射すると金属箔小片で反射され、それぞれ強い反射光として再びランダムな方向に放射されることになる。したがって、消防ホース用継手保護具１は、夜間にライトを受けると強い反射光を反射し、しかもそれをランダムな方向に反射するため、その存在を容易に認識させることができる。
【００１１】
また、この金属箔小片は樹脂中に練り込まれているので、簡単に脱落することがない。したがって、消防ホース連結部の保護具として地面を引き回されることによって、地面と擦れ合うことがあったとしても高い耐久性を示し、上述した反射機能を維持することができる。
本発明において、金属箔小片をランダムに分散した樹脂Ｒｍは、図１及び図２の実施例のように環状本体の全体に使用してもよいが、一部だけに使用するようにしてもよい。すなわち、金属箔小片を分散した樹脂Ｒｍは外部からの入射光を強い反射光として反射するためのものであるので、少なくとも外層の一部に使用してあればよい。好ましくは、外層を少なくとも１周にわたるように使用してあるのがよい。
【００１２】
図３〜図５は、金属箔小片を分散した樹脂Ｒｍをそれぞれ外層の一部に使用した実施例を示すものである。
図３の保護具１では、厚肉の緩衝部１ｂだけを金属箔小片がランダムに分散した樹脂Ｒｍで構成し、残りの薄肉の筒部１ａは金属箔小片を配合していないブランクの樹脂Ｒｏで構成している。
【００１３】
また、図４の保護具１は、環状本体の内層側をブランクの樹脂Ｒｏで構成し、外層側を金属箔小片をランダムに分散した樹脂Ｒｍで２層構造となるように構成したものである。
また、図５の保護具１は、緩衝部１ｂにおける外層だけを金属箔小片を分散した樹脂Ｒｍで構成し、残りのすべてをブランクの樹脂Ｒｏで構成するようにしたものである。
【００１４】
いずれの実施例の場合も、夜間にライトを受けると、樹脂Ｒｍ中の金属箔小片が強い光をランダムな方向に反射して、その存在を認識させることができる。
また、図６は、本発明のさらに他の実施例を示すものである。この実施例では、保護具１の本体を構成する筒部１ａおよび緩衝部１ｂがブランクの樹脂Ｒｏだけで成形され、この本体の外周に、金属箔小片がランダムに分散した樹脂Ｒｍで成形したリング３を嵌合したものである。このリング３は、本体上に形成した突起部４と径の大きい緩衝部１ｂとの間に装着されることによって抜け止めされている。この例の場合も、リング３中の金属箔小片が強い光をランダムな方向に反射するため，その存在を認識させることができる。
【００１５】
本発明において、金属箔小片を構成する金属としては特に限定されないが、好ましくはアルミニウム、錫が好ましく使用される。この金属箔小片は金属色のままであってもよいが、必要により赤、黄、緑などの色に着色してもよい。
金属箔小片の大きさは、上述したように０．０１〜５．０mm2 、好ましくは  ０．１〜０．５mm2 の範囲が好ましい。０．０１mm2 よりも小さくなると、反射面が小さくなりすぎて大きな反射光を得ることが難しくなる。また、５．０mm2 よりも大きくなると、樹脂に対する分散性が低下するため成形が難しくなる。
【００１６】
金属箔小片の樹脂に対する配合量としては、０．５〜１０重量％、さらに好ましくは２〜５重量％の範囲がよい。０．５重量％より少ないとなると強い反射光を得ることが難しく、また１０重量％よりも多くなると分散性の低下によって成形性が低下する。
環状本体を構成する樹脂としては硬質および軟質のいずれでもよいが、好ましくは軟質樹脂を使用するのがよい。軟質樹脂としては、塩化ビニル、ポリエチレン、シリコーンなどを挙げることができる。軟質樹脂は衝撃荷重を緩和する作用を有するため、消防ホース継手連結部の保護機能を一層高めることができる。特に、図示のように、環状本体に厚肉の緩衝部を形成し、この緩衝部に軟質樹脂を使用するようにするとよい。
【００１７】
さらに樹脂は透明性樹脂にすることが好ましい。透明性の高い樹脂にするほど光の透過損失が少ないため、高い光度の反射光を得ることができる。透明性に優れた樹脂としては、軟質樹脂と同じ塩化ビニル、ポリエチレン、シリコーンなどを挙げることができる。
【００１８】
【発明の効果】
上述したように本発明は、保護具を構成する環状本体の少なくとも外周を、金属箔小片がランダムに分散する樹脂層で形成するか、または本体外周に、金属箔小片がランダムに分散する樹脂で成形したリングを装着するようにしたので、その金属箔小片によって入射光を強い反射光にしてランダムな方向に反射することができる。
【００１９】
したがって、夜間時において消防車等のライトを受けると強い反射光をランダムな方向に反射することによって、消防ホース継手連結部の存在を容易に確認させることができるため、その保護を可能にする。しかも、金属箔小片を樹脂中に分散させているので、消防ホース継手連結部が地面に擦れても簡単に脱落することがなく、高い耐久性を示すことができる。
【図面の簡単な説明】
【図１】本発明の消防ホース用継手保護具を消防ホースの継手連結部に装着した状態を示す縦断面図である。
【図２】図１に使用される本発明の消防ホース用継手保護具を一部半断面に示す側面図である。
【図３】本発明の消防ホース用継手保護具の他の実施例を一部半断面に示す側面図である。
【図４】本発明の消防ホース用継手保護具のさらに他の実施例を一部半断面に示す側面図である。
【図５】本発明の消防ホース用継手保護具のさらに他の実施例を一部半断面に示す側面図である。
【図６】本発明の消防ホース用継手保護具のさらに他の実施例を一部半断面に示す側面図である。
【符号の説明】
１  保護具                      １ａ  筒部
１ｂ  緩衝部                    ２  反射性のテープ
３  リング
Ｒｍ  金属箔小片がランダムに分散した樹脂
１０  消防ホース                １１  継手金具
【図１】
0003647060.tif 000002
【図２】
0003647060.tif 000003
【図３】
0003647060.tif 000004
【図４】
0003647060.tif 000005
【図５】
0003647060.tif 000006
【図６】
0003647060.tif 000007